(57)【要約】      （修正有）【課題】電子機器付帯の内蔵カメラやその他通信可能なカメラ本体を通したカメラ画像を第三者からの遠隔操作による覗き見・盗撮等から効果的に守り、簡便に貼付・剥離することのできる反復使用可能な電子機器用ステッカーを提供する。【解決手段】本発明に係る電子機器用ステッカーは、貼付面に非移行性であり再剥離性のある反復使用可能な粘着性の物質を用い、非貼付面に非粘着性の物質を用いており、貼付面と非貼付面に挟まれたスリットを持つことを特徴とする。かかる構成では、スリットと非貼付面に挟まれた部分をタブとして使用することにより、簡便にしかも貼付面に指を触れずに反復して貼付・剥離することができ、被貼付物であるカメラの画像や電子機器本体の表面にダメージを与えにくく、さらに当該ステッカーを貼付するための面積や形状、方法等の制約がなく被貼付物である電子機器を限定しない。【選択図】図２
2018097324.tif 000002
【特許請求の範囲】
【請求項１】
非移行性であり再剥離性のある反復使用可能な粘着性の物質を用いた貼付面と、非粘着性の物質を用いた非貼付面を備えるステッカーにおいて、当該ステッカーを構成する層のいずれかの部分に貼付面及び非貼付面に挟まれたスリットを持ち、被貼付物であるカメラレンズに貼付することで当該ステッカーを通したカメラ画像を不可視化もしくは不鮮明化することのできる電子機器用ステッカー。
【請求項２】
請求項１に記載のステッカーにおいて、電子機器付帯の内臓マイクに貼付することにより、当該マイクを通した音声を遮断もしくは不鮮明化することのできる電子機器用ステッカー。
【発明の詳細な説明】
【発明の詳細な説明】
【技術分野】
【０００１】  本発明は、第三者からの遠隔操作が可能な電子機器付帯の内臓カメラ及びその他通信可能なカメラ本体を使った覗き見・盗撮等を防止するための電子機器用ステッカーに関するものである。
【背景技術】
【０００２】  現在多くの電子機器に付帯されている内臓カメラには通常カバーが無く、当該電子機器の持ち主がウィルスの仕込まれた危険なソフトを誤ってダウンロードしたり、ウィルスに感染したサイトにアクセスすること等により、持ち主が知らないうちに、第三者が遠隔操作によって当該電子機器付帯の内臓カメラやその他通信可能なカメラ本体を勝手に作動させ、カメラ画像の覗き見・盗撮等を可能にしてしまうことがある。【０００３】  その対策として従来では個々人が、剥がしにくく再剥離性のない市販のシールや医療用絆創膏、あるいは剥がし易いが本来の用途でない付箋紙等をカメラのレンズ部分に貼付して、電子機器の持ち主が意図しないところの第三者からの覗き見・盗撮等を防止しようとする様子が散見された。【０００４】  また近年、かかる覗き見・盗撮等を防止する目的で通信カメラ用覗き見防止装置が発明されている（特開２０１４−１６７５５９号公報、実登録３１７０６１９号公報、実登録３１７３５１４号公報参照）。
【先行技術文献】
【特許文献】
【０００５】
【特許文献１】特開２０１４−１６７５５９号公報
【特許文献２】実登録第３１７０６１９号公報
【特許文献３】実登録第３１７３５１４号公報
【発明の概要】
【発明が解決しようとする課題】
【０００６】  しかしながら上記に述べた貼付物では、即時に貼付物を剥がすことができずカメラを使いたい時に使えない、貼付物からの糊残りでカメラの画像や電子機器自体の表面にダメージが出る、貼付物が一度きりの使い捨てになってしまう、貼付物を貼付した時の電子機器全体の美観を損ねる、貼付物を貼付するための面積あるいは形状、方法に制約があるため貼付できる電子機器が限られてしまう、等の問題があった。【０００７】  本発明は、このような問題を解決しようとするものであり、電子機器付帯の内臓カメラやその他通信可能なカメラ本体を通した画像を第三者からの遠隔操作による覗き見・盗撮等から効果的に守り、簡便に扱うことのできる反復使用可能な電子機器用ステッカーを提供することを目的とするものである。
【課題を解決するための手段】
【０００８】  以上の課題を解決するために、本発明に係るステッカーは、非移行性であり再剥離性のある反復使用可能な粘着性の物質を用いた貼付面と、非粘着性の物質を用いた非貼付面を備え、当該ステッカーを構成する層のいずれかの部分に貼付面及び非貼付面に挟まれたスリットを持つことを特徴とし、被貼付物であるカメラレンズに貼付することで当該ステッカーを通したカメラ画像を不可視化もしくは不鮮明化することのできる電子機器用ステッカーとする。【０００９】  尚、本明細書において当該発明の被貼付物である「電子機器」とは、スマートフォンを含む携帯電話・タブレット型端末・デスクトップ型及びノートブック型ＰＣ・携帯用ゲーム機等通信可能な内臓カメラを付帯するものが該当し、「その他通信可能なカメラ本体」とは、ウェブカメラ・デジタルカメラ・ＧｏＰｒｏカメラ・ドローン搭載用カメラ等、単体のカメラでありながら他の機器と通信可能なカメラが該当する。【００１０】  また、当該発明であるステッカーの、被貼付物に貼着させる側の面を「貼付面」とし、その貼付面に相対する側の面（被貼付物に貼着させない側の面）を「非貼付面」とする。【００１１】  そして、「当該発明であるステッカー貼付時にカメラ画像を不可視化もしくは不鮮明化できる」とは、当該ステッカーを被貼付物である電子機器付帯の内臓カメラやその他通信可能なカメラ本体のカメラレンズ部分に貼付した状態の時に、当該ステッカーを通したカメラ画像が電子機器の持ち主以外の遠隔操作をしている第三者から全く見えない状態になるか、もしくはカメラ画像の対象物が何であるのかハッキリと認識できない状態になることを言う。
【発明の効果】
【００１２】  当該発明のステッカーは、貼付面に非移行性であり再剥離性のある反復使用可能な粘着性の物質を用いているため、被貼付物であるカメラレンズを使用しようとする時に当該ステッカーを剥離した際でも糊残りしにくく、また、当該ステッカーを電子機器上のカメラレンズ以外の余白部分に貼付して待機させる場合にも電子機器自体の表面に糊残り等のダメージが出にくい。【００１３】  また、当該ステッカーを構成する層のいずれかの部分に、貼付面及び非貼付面に挟まれたスリットを施すことで、非貼付面とスリットに挟まれた部分を“タブ”として使用することができるため、当該ステッカーを即時に貼付・剥離することができ、かつ当該ステッカーの貼付面に直接指が触れずに貼付・剥離することができるので、貼付面を汚損しにくく貼付面の粘着力が落ちにくいという効果を奏することができる。これにより当該ステッカーの反復使用の頻度も向上する。【００１４】  更に、当該ステッカーは複雑な機構を持たず貼付するための面積や形状、方法に制約がないため、貼付できる電子機器に限りがないという利点もある。【００１５】  上述した効果を持つ当該ステッカーの一部あるいは全体に、非透過性もしくは透過性の低い色彩やデザインを施しカメラレンズに貼付することにより、「電子機器付帯の内臓カメラやその他通信可能なカメラ本体を通した画像を不可視化もしくは不鮮明化する」という当該発明の本来の目的を効果的に果たすことができる。
【発明を実施するための形態】
【００１６】  以下、当該発明の好適な実施形態について図面を参照して説明する。
【００１７】  図１は、被貼付物の一例としてのタブレット型端末の本体カバー１を使用した時の一般的な設置図である。図１に示すように、通常このような電子機器付帯の内臓カメラのレンズ部４にはカバーが付帯されておらず、剥き出しの状態になっている。
【００１８】  そして、当該電子機器の持ち主がウィルスの仕込まれたソフトを誤ってダウンロードしたり、ウィルスに感染したサイトにアクセスすること等により、かかる状態で設置された電子機器付帯の内臓カメラが持ち主の意図しない時に勝手に第三者の手によって作動させられ、持ち主のプライベートな内容にかかわるようなカメラ画像を覗き見されたり盗撮されたりすることがある。
【００１９】  そこで、内臓カメラレンズ部４に当該発明の一例である９を貼付した様子が図３ａである。当該発明の一例９は、その一部あるいは全体に非透過性もしくは透過性の低い色彩やデザインを施すことにより、当該発明を通したカメラ画像を効果的に不可視化もしくは不鮮明化でき、第三者からの覗き見・盗撮等を防止できる。
【００２０】  また、当該発明の一例９は、非移行性であり再剥離性のある反復使用可能な粘着性の物質を用いた貼付面１０と非粘着性の物質を用いた非貼付面１１、そして貼付面１０と非貼付面１１の間に挟まれたスリット１２を備えていることを特徴としており、非貼付面１１とスリット内側の面１２２に挟まれた部分をタブとして使用することによって、図３ｂ及び図３ｃに示す通り当該発明の一例９を内臓カメラレンズ部４に簡便に且つ貼付面１０に指が触れることなく貼付・剥離することができる。
【００２１】  当該発明の貼付面１０に使用する物質としては、非移行性であり再剥離性のある反復使用可能な粘着性の樹脂であるウレタン系特殊粘着エラストマー（参考商品：大創産業「透明両面粘着ピン」）が好ましいが、他に同様の性質を持つ物質があればこの限りではない。
【００２２】  当該発明の非貼付面１１に使用する物質としては、スリット１２が非貼付面１１を構成する物質の層に形成される可能性が高いことから、当該発明のタブとして引っ張る力に強く容易に裂けにくい弾性のある樹脂（ＰＶＣ、ＡＢＳ等）が好ましいが、他に同様の性質を持つ物質があればこの限りではない。
【００２３】  以上、当該発明の好適な実施形態について説明したが、当該発明は上記実施形態に限定されないことは言うまでもない。
【００２４】  例えば、当該発明の一例９は円形である必要はなく、スリット１２は貼付面１０もしくは非貼付面１１に対して平行でなくてもよく、さらに貼付面１０及び非貼付面１１及びスリット１２が平面である必要やスリット１２の深さ及び入れ方に制約もない。さらに当該発明の貼付面１０及びスリット内側の面１２１に挟まれる部分と非貼付面１１及びスリット内側の面１２２に挟まれる部分は同じ大きさである必要はなく、例えば前者よりも後者のほうを大きくすることや、逆に後者よりも前者を大きくすること、前者もしくは後者の一部に突起を設けてタブを更につまみ易くすること等も可能である。
【００２５】  また、当該発明の主たる目的は「被貼付物であるカメラレンズに貼付することで当該ステッカーを通したカメラ画像を不可視化もしくは不鮮明化でき、剥離した後のカメラ画像や電子機器自体にダメージを与えにくく簡便に貼付・剥離できること」であるため、それを妨げない形状・色彩・デザイン・構成する材料等は当該発明に施すことができる。
【図面の簡単な説明】
【００２６】
【図１】被貼付物の一例としてのタブレット型端末説明図（本体カバー使用時）
【図２】（ａ）当該発明一例の斜視図（スリット部分が閉じている状態）  （ｂ）当該発明一例の斜視図（スリット部分が開いている状態）
【図３】（ａ）当該発明をタブレット型端末付帯の内臓カメラ上に貼付した時の様子  （ｂ）当該発明の剥離時にタブをつまみ上げた時の様子  （ｃ）当該発明をタブレット型端末から剥離した時の様子
【符号の説明】
【００２７】１      本体カバー
２      本体カバーフレーム
３      液晶画面フレーム
４      内臓カメラレンズ部（前面）
５      液晶画面
６      ホームボタン
７      充電器接続部
８      内臓マイク
９      当該発明の一例
１０    貼付面
１１    非貼付面
１２    スリット（閉じた状態）
１２１  スリット内側の面
１２２  スリット内側の面
【図１】
2018097324.tif 000003
【図２】
2018097324.tif 000004
【図３】
2018097324.tif 000005